(57)【要約】【課題】  この発明は、編集時に特定のシーンを残し、編集後も連続したデータとし、且つデータ量を低減させ、ユーザの利便性を向上させることを目的としている。【解決手段】  映像信号に係る重要度に対応して映像信号を所定の画質に変換する割合が対応づけられた変換テーブルが記憶された記憶手段（メモリ２７）と、映像信号のチャプタ毎に重要度を決定する重要度決定手段（１７）と、変換テーブルを用い、決定された重要度に応じてチャプタ毎に映像信号を所定の画質に変換するビットレート変換手段（１７）と、チャプタを連結し、ビットレートが異なるチャプタで構成された映像信号を出力する映像信号出力手段（１４）を備える。【選択図】      図２
2008035053.tif 000002
【特許請求の範囲】
【請求項１】
複数のチャプタで構成された映像信号を編集する映像編集装置において、
前記映像信号に係る重要度とこの重要度に対応して映像信号を所定の画質に変換する割合（ビットレート）が対応づけられた変換テーブルが記憶された記憶手段と、
前記映像信号を受信し、映像信号のチャプタ毎に重要度を決定する重要度決定手段と、
前記記憶手段に記憶された変換テーブルを用い、前記決定された重要度に応じてチャプタ毎に映像信号を所定の画質（ビットレート）にそれぞれ変換するビットレート変換手段と、
前記チャプタ毎にそれぞれビットレート変換された複数のチャプタを連結し、ビットレートが異なるチャプタを含む複数のチャプタで構成された映像信号を出力する映像信号出力手段を備えることを特徴とする映像編集装置。
【請求項２】
複数のチャプタで構成された映像信号を編集する映像編集装置において、
前記映像信号に係る重要度とこの重要度に対応して映像信号を所定の画質（ビットレート）に変換する割合が対応づけられた変換テーブルが記憶された記憶手段と、
複数のチャプタで構成された映像信号が記憶された記憶媒体と、
前記記憶媒体に記憶された映像信号を受信し、映像信号のチャプタ毎に重要度を決定する重要度決定手段と、
前記記憶手段に記憶された変換テーブルを用い、前記決定された重要度に応じてチャプタ毎に映像信号を所定の画質（ビットレート）にそれぞれ変換するビットレート変換手段と、
前記チャプタ毎にそれぞれビットレート変換された複数のチャプタを連結し、ビットレートが異なるチャプタを含む複数のチャプタで構成された映像信号を出力する映像信号出力手段を備えることを特徴とする映像編集装置。
【請求項３】
前記映像信号のチャプタ毎に決定される重要度は予め登録された視聴者の趣向に応じて決定されることを特徴とする請求項１乃至２に記載の映像編集装置。
【請求項４】
複数のチャプタで構成された映像信号を再生する映像再生装置において、
ビットレートが異なるチャプタを含む複数のチャプタで構成された映像信号が記憶された記憶媒体と、
前記映像信号に係るビットレートとこのビットレートに再生速度が対応づけられた変換テーブルが記憶された記憶手段と、
前記記憶媒体に記憶された映像信号を受信し、前記記憶手段に記憶された変換テーブルを用い、ビットレートに対応づけられた再生速度で映像信号を再生する映像信号再生手段を備えることを特徴とする映像再生装置。
【請求項５】
複数のチャプタで構成された映像信号を編集する映像編集方法において、
映像信号を受信し、映像信号のチャプタ毎に重要度を決定するステップと、
前記映像信号に係る重要度とこの重要度に対応して映像信号を所定の画質（ビットレート）に変換する割合が対応づけられた変換テーブルを用い、前記決定された重要度に応じてチャプタ毎に映像信号を所定の画質（ビットレート）にそれぞれ変換するステップと、
前記チャプタ毎にそれぞれビットレート変換された複数のチャプタを連結し、ビットレートが異なるチャプタを含む複数のチャプタで構成された映像信号を出力するステップを備えることを特徴とする映像編集方法。
【請求項６】
複数のチャプタで構成された映像信号を再生する映像再生方法において、
ビットレートが異なるチャプタを含む複数のチャプタで構成された映像信号を受信するステップと、
前記映像信号に係るビットレートとこのビットレートに再生速度が対応づけられた変換テーブルを用い、ビットレートに対応づけられた再生速度で映像信号を再生するステップを備えることを特徴とする映像再生方法。
【発明の詳細な説明】
【技術分野】
【０００１】
この発明は、記憶媒体に記憶された映像信号を再生する映像再生装置に関する。またこの発明は記憶媒体に記憶された映像信号を編集する映像編集装置に関する。
【背景技術】
【０００２】
現在、ＨＤＤ（ハードディスクドライブ）やＤＶＤ（デジタルビデオディスク）等の記録媒体に映像を記録する映像再生装置が製品化されている。このような映像再生装置は、映像や音楽（以下両者を総称して映像）を手軽に記録（録画）することができる。
【０００３】
記録媒体に記録（録画）された映像信号は、タイトル（番組）を分割してプレイリストを作成したり、チャプタを指定したりする等の編集が可能である。
特許文献１には、ダイジェスト映像作成に関する技術が開示されている。そして、画像データの中で使用されている技術手法（カット、テロップ、カメラワーク）を解析して技術手法の使用が開始される時点（開始点）を検出し、当該技術手法の開始点の画像フレームを区切りとして画像データを複数の映像区間に分割し、映像区間の長さに応じて情報価値を判断する。そして、情報価値が高い映像区間ほど通常の再生速度に近い速度で再生表示させ、情報価値が低いほど速い速度で再生表示されるようにダイジェスト映像を作成させる技術が開示されている。しかしながら、この特許文献１では再生速度は変化させているが、映像および音声に係るデータ量は変わらないといった問題があった。
【特許文献１】特開２００５−252372号公報
【発明の開示】
【発明が解決しようとする課題】
【０００４】
そこで、この発明は、上記事情を考慮してなされたもので、記憶媒体に記憶された映像信号の編集においてデータ量を削減することを目的としている。またこの発明は、編集時に自動的に特定のシーンを残すまたは削除を防止し、編集後も連続したデータとし、且つデータ量を低減させ、ユーザの利便性を向上させることを目的とする。
【課題を解決するための手段】
【０００５】
この発明に係る映像編集装置は、複数のチャプタで構成された映像信号を編集する映像編集装置において、前記映像信号に係る重要度とこの重要度に対応して映像信号を所定の画質に変換する割合（ビットレート）が対応づけられた変換テーブルが記憶された記憶手段と、前記映像信号を受信し、映像信号のチャプタ毎に重要度を決定する重要度決定手段と、前記記憶手段に記憶された変換テーブルを用い、前記決定された重要度に応じてチャプタ毎に映像信号を所定の画質（ビットレート）にそれぞれ変換するビットレート変換手段と、前記チャプタ毎にそれぞれビットレート変換された複数のチャプタを連結し、ビットレートが異なるチャプタを含む複数のチャプタで構成された映像信号を出力する映像信号出力手段を備えるように構成している。
【０００６】
この発明に係る映像再生装置は、複数のチャプタで構成された映像信号を再生する映像再生装置において、ビットレートが異なるチャプタを含む複数のチャプタで構成された映像信号が記憶された記憶媒体と、前記映像信号に係るビットレートとこのビットレートに再生速度が対応づけられた変換テーブルが記憶された記憶手段と、前記記憶媒体に記憶された映像信号を受信し、前記記憶手段に記憶された変換テーブルを用い、ビットレートに対応づけられた再生速度で映像信号を再生する映像信号再生手段を備えるように構成している。
【０００７】
この発明に係る映像編集方法は、映像信号を受信し、映像信号のチャプタ毎に重要度を決定するステップと、前記映像信号に係る重要度とこの重要度に対応して映像信号を所定の画質（ビットレート）に変換する割合が対応づけられた変換テーブルを用い、前記決定された重要度に応じてチャプタ毎に映像信号を所定の画質（ビットレート）にそれぞれ変換するステップと、前記チャプタ毎にそれぞれビットレート変換された複数のチャプタを連結し、ビットレートが異なるチャプタを含む複数のチャプタで構成された映像信号を出力するステップを備えるように構成している。
【０００８】
この発明に係る映像再生方法は、ビットレートが異なるチャプタを含む複数のチャプタで構成された映像信号を受信するステップと、前記映像信号に係るビットレートとこのビットレートに再生速度が対応づけられた変換テーブルを用い、ビットレートに対応づけられた再生速度で映像信号を再生するステップを備えるように構成している。
【発明の効果】
【０００９】
上記した構成によれば、記憶媒体に記憶された映像信号の編集においてデータ量を削減することが可能となる。またこの発明は、編集時に自動的に特定のシーンを残すまたは削除を防止し、編集後も連続したデータとし、且つデータ量を低減させ、ユーザの利便性を向上させることが可能となる。
【発明を実施するための最良の形態】
【００１０】
以下、図面を参照してこの発明の実施の形態を説明する。
図１はこの発明の実施の形態に係る映像編集装置／映像再生装置の構成の一例を示すブロック図である。
この映像再生装置では、記録媒体としてＤＶＤ−ＲＡＭとハードディスクとの双方を取り扱うことができるものとしているが、ハードディスクまたはＤＶＤ−ＲＡＭは、例えば半導体メモリ等の記録媒体に置換されてもよいものである。
【００１１】
なお、この映像再生装置では、映像の記録もできるように構成されている。
図１に示した映像再生装置において、その各ブロックを大きく分けると、左側に記録部の主なブロックが存在し、右側に再生部の主なブロックが存在する。
すなわち、この映像再生装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスク１３ａを駆動するＨＤＤ（Hard Disk Drive）部１３を有する。
【００１２】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系などを有する。
【００１３】
Ｄ−ＰＲＯ部１４は、記録または再生単位のデータを取り扱うもので、バッファ回路、変調・復調回路、エラー訂正部等を含んでいる。
また、この映像再生装置は、記録側を構成するエンコーダ部１５と、再生側を構成するデコーダ部１６と、装置本体の動作を制御するマイクロコンピュータブロック１７とを主たる構成要素としている。
【００１４】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１５】
エンコーダ部１５の出力は、バッファメモリ１８を含むフォーマッタ１９にて所定のＤＶＤ−ＲＡＭのフォーマットに変換され、先のＤ−ＰＲＯ部１４に供給される。
【００１６】
エンコーダ部１５には、Ａ／Ｖ（Audio／Video）入力部２０からの外部アナログビデオ信号と外部アナログオーディオ信号、または、ＴＶ（Television）チューナー部２１からのアナログビデオ信号とアナログオーディオ信号とが入力される。
【００１７】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００１８】
また、エンコーダ部１５は、アナログデジタル変換されたデジタルビデオ信号やオーディオ信号を、Ｖ（Video）ミキシング部２２やオーディオセレクタ２３に直接供給することもできる。
【００１９】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。
【００２０】
デジタルオーディオ信号は、ＭＰＥＧまたはＡＣ（Audio Compression）−３規格に基づいて固定ビットレートで圧縮されたデジタルオーディオ信号、または、リニアＰＣＭ（Pulse Code Modulation）のデジタルオーディオ信号に変換される。
【００２１】
副映像信号がＡ／Ｖ入力部２０から入力された場合（例えば副映像信号の独立出力端子付DVDビデオプレーヤからの信号等）、または、このようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００２２】
エンコードされたデジタルビデオ信号、デジタルオーディオ信号、副映像データは、フォーマッタ１９にてパック化され、ビデオパック、オーディオパック、副映像パックとなる。さらに、これらのパックが集合されて、ＤＶＤ−ＶＲ（Video Recording）規格（例えばＤＶＤ−ＲＡＭ、ＤＶＤ−Ｒ、ＤＶＤ−ＲＷ等に記録する規格）で規定されたフォーマットに変換される。
【００２３】
ここで、図１の映像再生装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２４】
また、ハードディスク１３ａまたは光ディスク１１に記録された情報を、Ｄ−ＰＲＯ部１４、ディスクドライブ部１２を介して光ディスク１１あるいはハードディスク１３ａに記録することもできる。
【００２５】
また、ハードディスク１３ａまたは光ディスク１１に記録されている複数番組のビデオオブジェクトを、一部削除したり、異なる番組のオブジェクトを繋げたりといった編集処理を行なうこともできる。これは、この実施の形態に係るフォーマットが取り扱うデータ単位を定義し、編集を容易にしているからである。
【００２６】
マイクロコンピュータブロック１７は、ＭＰＵ（Micro Processing Unit）またはＣＰＵ（Central Processing Unit）と、制御プログラム等が書きこまれたＲＯＭと、プログラム実行に必要なワークエリアを提供するためのＲＡＭとを含んでいる。
【００２７】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００２８】
また、マイクロコンピュータブロック１７は、システム全体を制御するために必要な情報処理部を有するもので、ワークＲＡＭ２４、方式違い検出部２５、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００２９】
また、マイクロコンピュータブロック１７は、後に説明するデータビットレート変換手段２６、映像／音声データの重要度とビットレート変換を対応づけるための変換テーブルが記憶されたメモリ２７を備えている。尚、ここではビットレートとは映像信号を所定の画質に変換する割合である。
【００３０】
チャプタスキップ再生手段２６は、所定のチャプタにおいて計算されるチャプタ番号に応じたサムネイル位置の情報が記憶されている。そして、この計算されたチャプタ番号のサムネイル位置を取得する制御手段を備えている。
【００３１】
マイクロコンピュータブロック１７の実行結果のうち、ユーザに通知すべき内容は、映像再生装置の表示部２８に表示されるか、または、モニターディスプレイ２９にＯＳＤ（On Screen Display）表示される。
【００３２】
また、マイクロコンピュータブロック１７は、この映像再生装置を操作するための操作信号を与えるキー入力部３０を有する。このキー入力部３０は、例えば映像再生装置の本体上に設けた操作スイッチ類、または、リモートコントローラ等に相当する。また、この映像再生装置と有線通信、無線通信または光通信や赤外線通信等の手段を用いて接続されたＰＣ（Personal Computer）パーソナルコンピューター等であってもよい。
【００３３】
いずれの形態であるにせよ、ユーザがこのキー入力部３０を操作することにより、入力された映像音声信号の記録処理や、記録されたコンテンツの再生処理、あるいは記録されたコンテンツに対する編集処理等を施すことができる。
【００３４】
なお、マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）３１からの時間データに基づいて実行することができる。記録や再生の動作は、通常は、ＳＴＣ３１からのタイムクロックに同期して実行されるが、それ以外の処理はＳＴＣ３１とは独立したタイミングで実行されてもよい。
【００３５】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするAデコーダとを有する。また、デコードされた主映像にデコードされた副映像を適宜合成し、主映像に、メニュー、ハイライトボタン、字幕やその他の副映像を重ねて出力するビデオプロセッサを備えている。
【００３６】
デコーダ部１６の出力ビデオ信号は、Ｖミキシング部２２に入力される。Ｖミキシング部２２では、テキストデータの合成が行なわれる。また、Ｖミキシング部２２には、ＴＶチューナー部２１やＡ／Ｖ入力部２０からの信号を、直接取り込むラインも接続されている。
【００３７】
また、Ｖミキシング部２２には、バッファとして用いるフレームメモリ３２が接続されている。Ｖミキシング部２２の出力がアナログ出力の場合はＩ／Ｆ（Interface）３３を介して外部出力され、デジタル出力の場合はＤ／Ａ（Digital／Analog）変換器３４を介して外部のモニターディスプレイ２９に出力される。
【００３８】
デコーダ部１６の出力オーディオ信号は、セレクタ２３を介してＤ／Ａ変換器３５でアナログ変換され外部のスピーカ３６に出力される。
セレクタ２３は、マイクロコンピュータブロック１７からのセレクト信号により制御される。これにより、セレクタ２３は、ＴＶチューナー部２１やＡ／Ｖ入力部２０からのデジタル信号を直接モニタする時、エンコーダ部１５をスルーした信号を直接選択することも可能である。
【００３９】
なお、エンコーダ部１５のフォーマッタ１９では、記録中、各切り分け情報を作成し、定期的にマイクロコンピュータブロック１７のＭＰＵに送出している［ＧＯＰ（Group Of Picture）先頭割り込み時等の情報］。切り分け情報としては、ＶＯＢＵ（Video Object Unit）のパック数、ＶＯＢＵ先頭からのＩ（Intra）ピクチャのエンドアドレス、ＶＯＢＵの再生時間等である。
【００４０】
同時に、アスペクト比情報処理部からの情報を記録開始時にＭＰＵに送り、ＭＰＵはＶＯＢ（Video Object）ストリーム情報（ＳＴＩ）を作成する。ここで、ＳＴＩは、解像度データ、アスペクト比データ等を保存し、再生時に、各デコーダ部ではこの情報を元にして初期設定が行なわれる。
【００４１】
また、この映像再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称している。ＣＤＡサイズは、ＥＣＣ（エラー訂正コード）ブロック（１６セクタ）の倍数であり、ファイルシステムではこのＣＤＡ単位で記録を行なっている。
【００４２】
Ｄ−ＰＲＯ部１４は、エンコーダ部１５のフォーマッタ１９からＶＯＢＵ単位のデータを受け取り、ＣＤＡ単位のデータをディスクドライブ部１２またはＨＤＤ部１３に供給している。
【００４３】
また、マイクロコンピュータブロック１７のＭＰＵは、記録したデータを再生するのに必要な管理情報を作成し、データ記録終了のコマンドを認識すると、作成した管理情報をＤ−ＰＲＯ部１４に送る。これにより、管理情報が光ディスク１１またはハードディスク１３ａに記録される。
【００４４】
このため、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１またはハードディスク１３ａから読み取った管理情報（ファイルシステム）を認識し、各ディスクの未記録エリアを認識し、データ上の記録エリアを、Ｄ−ＰＲＯ部１４を介してディスクに設定している。
【００４５】
図２はこの発明の実施の形態に係る映像編集装置／映像再生装置における映像／音声データにおけるダイジェスト編集のようすを説明する図である。
ここで符号201は、記憶媒体から出力され、ダイジェスト編集を行うための映像／音声データである。この発明の実施の形態においては、ダイジェスト編集を行う映像／音声データ201に対して視聴者の趣味趣向に合わせて重要度を関連付ける。
【００４６】
符号202は、映像／音声データ201の再生時間と、視聴者の趣味趣向に合わせて重要度を関連付けしやようすを示している。
例えばここでは、映像／音声データを各重要度の単位で開始時間と終了時間で区切っている。更に、ビットレートを関連付けしたデータベース上で管理されている。ここでの重要度は、例えば、録画したテレビ番組の毎分視聴率を元に加工して作成したものや、視聴者が趣味趣向に合わせ、予め、任意に設定した時間と重要度等である。
【００４７】
これらの映像／音声データの重要度とビットレート変換を対応づけるための変換テーブルはメモリ２７に記憶される。
また、マイクロコンピュータブロック１７は、データビットレート変換手段２６を備えており、メモリ２７に記憶されている変換テーブルに基づいて映像／音声データの重要度に応じたビットレート変換を行う。
【００４８】
符号203は、上記データビットレート変換手段２６で変換された映像／音声の編集データを示している。
図３はこの発明の実施の形態に係る映像編集装置／映像再生装置における映像／音声データの管理のようすを説明する図である。ここでは映像／音声データの管理表として表現している。
【００４９】
すなわち、ここではチャプタ番号１は開始時刻が00:00:00、終了時刻が00:30:00、重要度は１である。
図４は、この発明の実施の形態に係る映像編集装置／映像再生装置における映像／音声データの重要度と、映像／音声データのビットレート変換を示す変換テーブル、ダイジェスト再生時の再生速度を関連付ける表である。
【００５０】
ここでは例えば、重要度１に対してビットレートは１／５倍、再生速度は５倍である。また、重要度２に対してビットレートは２／５倍、再生速度は４倍、重要度３に対してビットレートは３／５倍、再生速度は３倍、重要度４に対してビットレートは４／５倍、再生速度は２倍、重要度５に対してビットレートは１倍、再生速度は１倍としている。
【００５１】
図５は、この発明の実施の形態に係る映像編集装置／映像再生装置における映像／音声データのダイジェスト編集のようすを説明するフローチャートである。
例えば、ユーザがキー入力部30を操作し、図示しない表示画面に表示されるダイジェスト編集を選択する。すると、映像編集装置／映像再生装置は映像／音声データを図3に示すチャプタ管理表に対応するように、映像／音声データを分割する。そして、図4に示すビットレート関連付け表に示したビットレートに合わせ、映像／音声データをデータ変換する。そして、このデータ変換後、再び映像／音声データを連結し、上記データビットレート変換手段２６で変換された映像／音声の編集データ203を作成する。
【００５２】
符号Ｓ２０1はここでの開始ステップである。続いて符号Ｓ２０2を付したステップへ進む。
符号Ｓ２０2は映像／音声データを編集可能なフォーマットに展開するステップである。続いて符号Ｓ２０3を付したステップへ進む。
符号Ｓ２０3は重要度を示す上記データベースを参照し、映像／音声データを例えば複数のチャプタに分割するステップである。続いて符号Ｓ２０4を付したステップへ進む。
【００５３】
符号Ｓ２０４は複数のチャプタに分割された映像／音声データを重要度に応じたビットレートに変換するステップである。続いて符号Ｓ２０５を付したステップへ進む。
【００５４】
符号Ｓ２０５は、終了ステップであり、ここでの処理は終了する。
すなわちこの発明の実施の形態に係る映像編集装置においては、映像信号に係る重要度とこの重要度に対応して映像信号を所定の画質に変換する割合（ビットレート）が対応づけられた変換テーブルが記憶された記憶手段（メモリ２７）と、映像信号を受信し、映像信号のチャプタ毎に重要度を決定する重要度決定手段（１７）と、記憶手段に記憶された変換テーブルを用い、決定された重要度に応じてチャプタ毎に映像信号を所定の画質（ビットレート）にそれぞれ変換するビットレート変換手段（１７）と、チャプタ毎にそれぞれビットレート変換された複数のチャプタを連結し、ビットレートが異なるチャプタを含む複数のチャプタで構成された映像信号を出力する映像信号出力手段（１４）を備えている。
【００５５】
図６は、この発明の実施の形態に係る映像編集装置／映像再生装置における映像／音声データのダイジェスト再生のようすを説明するフローチャートである。
符号Ｓ３０1はここでの開始ステップである。続いて符号Ｓ３０2を付したステップへ進む。
符号Ｓ３０2はダイジェスト再生を行うか否かを判断するステップである。ダイジェスト再生を行うと判断した場合は符号Ｓ３０3を付したステップへ進む（Ｙｅｓ）。ダイジェスト再生を行なわないと判断した場合は符号Ｓ３０４を付したステップへ進む（Ｎｏ）。
【００５６】
符号Ｓ３０3は重要度を示す上記データベースを参照し、ビットレートに対応した再生速度を決定するステップである。続いて符号Ｓ３０4を付したステップへ進む。
【００５７】
符号Ｓ３０４は映像信号の再生を行うステップである。続いて符号Ｓ３０５を付したステップへ進む。
符号Ｓ３０５は終了ステップであり、ここでの処理は終了する。
この発明の実施の形態に係る映像再生装置においては、ビットレートが異なるチャプタを含む複数のチャプタで構成された映像信号が記憶された記憶媒体（１２、１３）と、映像信号に係るビットレートとこのビットレートに再生速度が対応づけられた変換テーブルが記憶された記憶手段（２７）と、記憶媒体（12,13）に記憶された映像信号を受信し、記憶手段（２７）に記憶された変換テーブルを用い、ビットレートに対応づけられた再生速度で映像信号を再生する映像信号再生手段を備えている。
【００５８】
上記のように構成することによって、この発明の実施の形態においては、記憶媒体（12,13）に記憶された映像信号の編集において、データ量を削減することが可能となるという効果がある。またこの発明の実施の形態においては、編集時に映像編集装置が上記動作を行うことによって、自動的に特定のシーンを残すまたは削除を防止し、編集後も連続したデータとし、且つデータ量を低減させ、ユーザの利便性を向上させることが可能となるという効果がある。
【００５９】
なお、この発明は上記した実施の形態そのままに限定されるものではなく、実施段階ではその趣旨を逸脱しない範囲で構成要素を種々変形して具体化することが可能である。
【図面の簡単な説明】
【００６０】
【図１】この発明の実施の形態に係る映像編集装置／映像再生装置の構成の一例を示すブロック図。
【図２】この発明の実施の形態に係る映像編集装置／映像再生装置における映像／音声データにおけるダイジェスト編集のようすを説明する図。
【図３】この発明の実施の形態に係る映像編集装置／映像再生装置における映像／音声データの管理のようすを説明する図。
【図４】この発明の実施の形態に係る映像編集装置／映像再生装置における映像／音声データの重要度と、映像／音声データのビットレート変換を示す変換テーブル、ダイジェスト再生時の再生速度を関連付ける表。
【図５】この発明の実施の形態に係る映像編集装置／映像再生装置における映像／音声データのダイジェスト編集のようすを説明するフローチャート。
【図６】この発明の実施の形態に係る映像編集装置／映像再生装置における映像／音声データのダイジェスト再生のようすを説明するフローチャート。
【符号の説明】
【００６１】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミキシング部、２３…セレクタ、２４…ワークＲＡＭ、２５…方式違い検知部、２６…データビットレート変換手段、２７…変換テーブルが記憶されたメモリ、２８…表示部、２９…モニターディスプレイ、３０…キー入力部、３１…ＳＴＣ、３２…フレームメモリ部、３３…Ｉ／Ｆ、３４…Ｄ／Ａ変換器、３５…Ｄ／Ａ変換器、３６…スピーカ。
【図１】
2008035053.tif 000003
【図２】
2008035053.tif 000004
【図３】
2008035053.tif 000005
【図４】
2008035053.tif 000006
【図５】
2008035053.tif 000007
【図６】
2008035053.tif 000008